(57)【要約】空気予熱器のためのバスケットは、２つのコーナー部品と２つのコネクタ部品とをそれぞれ有する２つの金属製のフレームを含む。各フレームについて、コネクタ部品の一方は各コーナー部品の一端に固定され、コネクタ部品の他方は各コーナー部品の他端に固定され、それにより各フレームに矩形の開口部を形成する。バスケットは、コーナー部品に固定された２枚の重いゲージの金属製のシートを含み、それによってフレームを互いに等しく離間させ、互いに平行にし、それによって２枚のシート間にチャネルを形成する。
2019522169.tif 000002
【特許請求の範囲】
【請求項１】
回転式空気予熱器のための熱伝達要素を受け入れるためのバスケットであって、
各々が２つの長尺状のコーナー部品と２つの長尺状のコネクタ部品とを有する２つの金属製のフレームであって、コーナー部品の各々は、２つの脚部が角度をなす断面を有し、前記フレームの各々において、前記コネクタ部品の一方が前記コーナー部品の各々の一端に固定されると共に前記コネクタ部品の他方が前記コーナー部品の各々の他端に固定され、前記コーナー部品が互いに離間して平行であり、かつ前記コネクタ部品が互いに離間して平行であることにより前記フレームの各々に矩形の開口部が形成されている、２つの金属製のフレームと、
２つの重いゲージの金属製のシートであって、各シートが、前記コーナー部品の一方に長手方向に沿って固定された対向する縁部を有し、それによって前記フレームを互いに等しく離間させて平行にし、それによって２つのシートの間にチャネルを形成し、前記チャネルは、前記コーナー部品に平行でありかつ前記コーナー部品によって境界付けられる長手方向軸を有し、前記チャネルは、前記チャネルと同軸の流れ方向を有する前記熱伝達要素を受け入れるように構成される、２つの重いゲージの金属製のシートと、
を備えるバスケット。
【請求項２】
重いゲージの前記シートが１２ゲージである、請求項１に記載のバスケット。
【請求項３】
前記チャネルの対向する各端部において、２つの前記コネクタ部品と２つの前記シートとに固定される金属製の閉鎖グリッドをさらに備え、前記閉鎖グリッドは、複数の開口部を有し、前記開口部は、流体の流れを運ぶように構成される、請求項１に記載のバスケット。
【請求項４】
前記コネクタ部品の各々は、実質的に平坦である、請求項１に記載のバスケット。
【請求項５】
前記コーナー部品は、それぞれ２つの長尺部を有し、各長尺部は、互いにある角度で屈曲部から外向きに延在し、前記角度は、前記コーナー部品のうちの２つについては鈍角であり、前記角度は、前記コーナー部品のうちの２つについては鋭角である、請求項１に記載のバスケット。
【請求項６】
２つの前記コーナー部品の各々に長手方向に沿った、前記シートの各々の前記対向する縁部の固定と、
前記コーナー部品の各々の一端への前記コネクタ部品の一方の固定、及び前記コーナー部品の各々の他端への前記コネクタ部品の他方の固定と、
前記コーナー部品の１つに長手方向に沿った、前記シートの前記対向する縁部の固定と、
の少なくとも１つが溶接による、請求項１に記載のバスケット。
【請求項７】
前記シートの各々の前記対向する縁部は、２つの前記コーナー部品の各々の前記長尺部のそれぞれの外面に固定される、請求項４に記載のバスケット。
【請求項８】
前記フレームの各々の前記コネクタ部品の外面が、それぞれの前記フレームの前記コーナー部品の前記長尺部のうちの１つの外面と同一平面上にある、請求項１に記載のバスケット。
【請求項９】
一方の前記フレームの２つの前記コネクタ部品が、他方の前記フレームの２つの前記コネクタ部品よりも長い、請求項１に記載のバスケット。
【請求項１０】
前記閉鎖グリッドは、
対向する前記コネクタ部品に固定された少なくとも１つの閉鎖ストリップと、
前記少なくとも１つの閉鎖ストリップを貫通して延在すると共に前記少なくとも１つの閉鎖ストリップに固定された少なくとも１つの横断部品であって、対向する端部が対向する前記シートに固定された少なくとも１つの横断部品と、
を備える、請求項２に記載のバスケット。
【請求項１１】
前記コネクタ部品および前記コーナー部品は、それぞれ前記フレームの全幅の５％未満の幅を有する、請求項１に記載のバスケット。
【請求項１２】
前記コネクタ部品および前記コーナー部品は、前記フレームの周囲に配置される、請求項１に記載のバスケット。
【請求項１３】
互いに積み重ねられると共に、前記バスケット内に配置された複数の熱伝達要素をさらに備える、請求項１に記載のバスケット。
【請求項１４】
前記重いゲージの金属製のシートが、ガスおよび空気流が、当該シートと接触する前記熱伝達要素の縁部の周りを迂回することを防止する障壁を形成し、開放された側面を有するバスケット内の熱伝達要素と比較して、前記空気予熱器内に設置された前記バスケット内の前記複数の熱伝達要素の有効性を改善する、請求項１３に記載のバスケット。
【発明の詳細な説明】
【技術分野】
【０００１】
本発明は、概して高温排気ガスおよび空気が流れる回転式空気予熱器のための熱伝達要素を受けるためのバスケットに関し、より詳細には、バスケット内で横方向に空気およびガスが流れるのを助ける１つまたは複数の重いゲージ（ｈｅａｖｙ  ｇａｕｇｅ）の側部構造支持および耐摩耗性の壁を含む軽量の金属製バスケットに関する。
【背景技術】
【０００２】
回転式空気予熱器は、典型的には、複数のパイ形状のセクタを有し、各パイ形状のセクタは、その中に熱伝達要素を含むいくつかのバスケットを有する。熱伝達要素は、典型的には、波形の金属板から製造される。各バスケットは、複数の熱伝達要素を含む。バスケットは、熱伝達要素を、空気予熱器を通る排気ガスおよび空気の流れる方向に向けるように構成される。熱伝達要素はかなりの重量であるので、バスケットは、熱伝達要素の重量を支持するのに十分な構造を有する。バスケットおよび熱伝達要素の総重量は、セクタの回転を可能にするベアリングに取り付けられたスピンドルによって支持される。高重量バスケットは、ベアリングに過負荷を生じさせる可能性がある。加えて、高重量バスケットは製造コストが高い。
【０００３】
熱伝達要素が灰堆積物で汚れる可能性があり、それによって空気予熱器の有効性が低下することが知られている。熱伝達要素から灰堆積物を取り除くために、スートブロー構成が用いられてきた。しかし、スートブロー操作は、バスケットの部分を腐食させる、または亀裂を生じさせる可能性がある。
【０００４】
さらに、いくつかの従来技術のバスケットは、空気およびガスの流れを横方向に保ちバスケット内に収容しておくことができない。代わりに、空気およびガスの流れの一部が、バスケット内の熱伝達要素を迂回し、熱伝達要素のバスケットとロータ構造との間の空隙を通って流れることを許容する。このような横方向の封じ込めの欠如および迂回流は、熱伝達および空気予熱器の有効性を低下させる。
【０００５】
したがって、腐食およびスートブローの他の影響に耐えると共に、熱伝達を改善し、結果として空気予熱器の熱伝達効率を改善する、熱伝達要素用の改良された軽量バスケットが必要とされている。
【発明の概要】
【０００６】
一態様において、本発明は、回転式空気予熱器のための熱伝達要素を受け入れるためのバスケットに関する。バスケットは、各々が２つの長尺状のコーナー部品と２つの長尺状のコネクタ部品とを有する２つの金属製のフレームを含む。コーナー部品の各々は、２つの脚部が角度をなす形状の断面を有し、コネクタ部品の各々は、実質的に平坦である。各フレームについて、コネクタ部品の一方が各コーナー部品の一端に固定され、コネクタ部品の他方が各コーナー部品の他端に固定され、コーナー部品が互いに離間されて平行とされ、コネクタ部品が互いに離間されて平行とされ、それによって各フレームに矩形の開口部が形成される。バスケットは、２枚の重いゲージの金属製のシート（例えば、１２ゲージ）を含む。各シートは、コーナー部品の１つに長手方向に沿って固定された対向する縁部を有し、それによってフレームを互いに等しく離間させ、互いに平行にし、それによって２つのシート間にチャネルを形成する。チャネルは、コーナー部品に平行でありかつコーナー部品によって境界が定められた長手方向軸を有する。チャネルは、チャネルと同軸の流れ方向を有する熱伝達要素を受け入れるように構成される。
【０００７】
一実施形態では、バスケットは、チャネルの対向する各端部において、２つのコネクタ部品および２つのシートに固定された金属閉鎖グリッドを含む。閉鎖グリッドは、その中に複数の開口部を有する。開口部は、それを通って流体の流れを運ぶように構成される。閉鎖グリッドは、熱伝達要素を２つの閉鎖グリッド間のチャネル内に固定するように構成される。
【０００８】
別の態様において、本発明は、回転式空気予熱器のための熱伝達要素を受け入れるためのバスケットを改造する方法に関する。この方法は、バスケットを少なくとも部分的に分解するステップと、摩耗した、非効率的な、または古い熱伝達要素をバスケットから取り除くステップと、バスケット内に新しい、または修復された熱伝達要素を配置するステップと、バスケットを再び組み立てるステップとを含む。
【図面の簡単な説明】
【０００９】
【図１】本発明のバスケットの斜視図である。
【図２】図１のバスケットの正面図である。
【図３】図１のバスケットのコーナーの拡大図である。
【図４】図１のバスケットの別のコーナーの拡大図である。
【図５】熱伝達要素のスタックが中に配置された状態で示された、図１のバスケットの一部の拡大図である。
【図６】３つのセクタの部分が示された、バスケットを有する回転式空気予熱器の一部の概略上面図である。
【発明を実施するための形態】
【００１０】
図１及び図２を参照すると、回転式空気予熱器のための熱伝達要素８８のスタック８０（熱伝達要素８８のスタック８０については図５参照）を受け入れるためのバスケットが、全体として符号１０で示されている。バスケット１０は、回転式空気予熱器のための熱伝達要素８８のスタック８０を受け入れ、高温（例えば、１３０℃以上）の排気ガスおよび空気の流れに耐えるように構成される。バスケット１０は、２つの金属製のフレーム２０および２０’を含み、２つの金属製のフレーム２０および２０’は、それぞれ２つの長尺状のコーナー部品２２Ａ、２２Ｂおよび２２Ａ’、２２Ｂ’と、２つの長尺状のコネクタ部品２４Ａ、２４Ｂおよび２４Ａ’、２４Ｂ’（２４Ｂ’は、部分的に破線で示されると共に、シート３０’の切り欠き部分を通して示される）とを有する。コーナー部品２２Ａ、２２Ｂおよび２２Ａ’、２２Ｂ’ならびにコネクタ部品２４Ａ、２４Ｂおよび２４Ａ’、２４Ｂ’はすべて、炭素鋼合金などの金属材料から製造されるが、これに限定されない。コーナー部品２２Ａ、２２Ｂおよび２２Ａ’、２２Ｂ’ならびにコネクタ部品２４Ａ、２４Ｂおよび２４Ａ’、２４Ｂ’は、フレーム２０、２０’の周囲に配置される。
【００１１】
図３に最も良く示されるように、コーナー部品２２Ｂは、２つの脚部が角度をなす形状の断面を有する。コーナー部品２２Ｂは、コーナー部品２２Ｂの全長にわたって延びる２つの長尺部２３、２５によって画定される。長尺部２３、２５の各々は、互いに角度θをなして、屈曲部２７から側方に外向きに延在している。角度θは、コーナー部品２２Ａ’および２２Ｂ’の２つについては鈍角（すなわち、１８０°＜θ＜９０°）であり、角度θは、コーナー部品２２Ａおよび２２Ｂの２つについては鋭角（すなわち、θ＞９０°）である。コーナー部品２２Ａは、コーナー部品２２Ｂと同様に構成されている。コーナー部品２２Ａ’および２２Ｂ’は、角度θが鈍角であることを除いて、コーナー部品２２Ａおよび２２Ｂと同じように構成される。
【００１２】
図３に最も良く示されるように、コネクタ部品２４Ａは、好ましい実施形態において、実質的に平坦であるものとして示される。コネクタ部品２４Ｂ、２４Ａ’および２４Ｂ’もまた、実質的に平坦であるものとして示されている。しかし、本発明は、この点に関して限定されず、角度のある断面および弓形の断面を含むがこれらに限定されない、他の構成および断面が用いられてもよい。フレーム２０のコネクタ部品２４Ａおよび２４Ｂは、他のフレーム２０’のコネクタ部品２４Ａ’および２４Ｂ’よりも長い。
【００１３】
図１に示すように、フレーム２０に関して、コネクタ部品２４Ａは、コーナー部品２２Ａおよび２２Ｂの各々の一端に（例えば、溶接によって）固定され、コネクタ部品２４Ｂは、コーナー部品２２Ａおよび２２Ｂの各々の他端に（例えば、溶接によって）固定され、その結果、コーナー部品２２Ａおよび２２Ｂは、互いに離間し、平行であり、コネクタ部品２４Ａおよび２４Ｂは、互いに離間し、平行であり、それによって、フレーム２０に矩形の開口部２９を形成する。フレーム２０’に関して、コネクタ部品２４Ａ’は、コーナー部品２２Ａ’および２２Ｂ’の各々の一端に（例えば、溶接によって）固定され、コネクタ部品２４Ｂ’は、コーナー部品２２Ａ’および２２Ｂ’の各々の他端に（例えば、溶接によって）固定され、その結果、コーナー部品２２Ａ’および２２Ｂ’は、互いに離間し、平行であり、そしてコネクタ部品２４Ａ’および２４Ｂ’は、互いに離間し、平行であり、それによって、フレーム２０’において矩形の開口部２９’を形成する。
【００１４】
図２および図３に示すように、各フレーム２０、２０’のコネクタ部品２４Ａ、２４Ｂおよび２４Ａ’、２４Ｂ’の外面は、各フレーム２０、２０’のコーナー部品２２Ａ、２２Ｂおよび２２Ａ’、２２Ｂ’の長尺部２３の外面と同一平面上にある。
【００１５】
図１および図２に示されるように、バスケット１０は、２つの重いゲージの金属製のシート３０および３０’を含み、金属製のシート３０および３０’は、耐摩耗性（例えば、スートブローから生じる摩耗および／または亀裂に対する耐性）を有し、バスケット１０の構造的支持部材である。例えば、各シートは１２ゲージである。一実施形態では、シートは１１ゲージである。別の実施形態では、シートは１２〜１０ゲージである。シート３０および３０’は、炭素鋼合金などの金属材料から製造されるが、これに限定されない。シート３０は、コーナー部品２２Ａ、２２Ａ’のうちの１つに長手方向に沿って（例えば、長尺部２５の外面に沿って）それぞれ固定された対向する縁部３０Ａ、３０Ｂを有する。例えば、シート３０については、バスケット１０における空気予熱器内側方向の側部Ｋ１（すなわち、図６に示すように空気予熱器のロータポスト１９に面するように構成されたバスケットの側部）に位置する縁部３０Ｂは、縁部３０Ｂの内側部分において溶接部ＷＷ１によってコーナー部品２２Ａ’に固定され、バスケット１０における空気予熱器外側方向の側部Ｋ２（すなわち、図６に示すように空気予熱器のロータポスト１９から離れて面するように構成されたバスケットの側部）に位置する縁部３０Ａは、縁部３０Ａの外側部分において溶接部ＷＷ２によってコーナー部品２２Ａに固定される。シート３０’は、コーナー部品２２Ｂおよび２２Ｂ’のうちの１つに長手方向に沿って（例えば、長尺部２５の外面に沿って）それぞれ固定された対向する縁部３０Ａ’および３０Ｂ’を有する。例えば、シート３０’については、バスケット１０における空気予熱器内側方向の側部Ｋ１に位置する縁部３０Ｂ’は、縁部３０Ｂ’の内側部分において溶接部ＷＷ３によってコーナー部品２２Ｂ’に固定され、バスケット１０における空気予熱器外側方向の側部Ｋ２に位置する縁部３０Ａ’は、縁部３０Ａ’の外側部分において溶接部ＷＷ４によってコーナー部品２２Ｂに固定される。シート３０及び３０’は、フレーム２０及び２０’を互いに等しく離間し、互いに平行にし、それにより、シート３０及び３０’の２つの間にチャネル４０を形成する。チャネル４０は、コーナー部品２２Ａ、２２Ｂおよび２２Ａ’、２２Ｂ’に平行であり、これらによって境界が定められた長手方向軸Ｌ１を有する。チャネル４０は、チャネル４０と同軸の流れ方向を有する熱伝達シート（図５に示すような）を受け入れるように構成されている。一実施形態では、チャネル４０は、台形断面を有する。
【００１６】
溶接部ＷＷ１、ＷＷ２、ＷＷ３、およびＷＷ４が示され、説明されているが、本発明はこれに限定されず、本発明のより広い態様から逸脱することなく、他の位置の溶接部および／または締結具を採用してもよい。
【００１７】
図６に示されるように、複数のバスケット１０が、隣接するセクタ１８Ａ、１８Ｂおよび１８Ｃに配置されて示されており、それらの部分は、ロータポスト１９の半径方向外側で、空気予熱器の切り欠き部分に取り付けられている。シート３０、３０’は、熱伝達要素８８（図５参照）の縁部におけるバスケット１０の側部間の矢印Ｈの方向の、隣接するセクタ１８Ａ、１８Ｂ、１８Ｃ間の空隙Ｍ内へのガス及び空気流の側方への迂回を防止するための障壁である。したがって、シート３０および３０’は、バスケット１０内にガスおよび空気流を横方向に収容し、それによって、開放された横方向側面を有するバスケット内の熱伝達要素と比較して、熱伝達を改善し、空気予熱器内に取り付けられたバスケット１０内の熱伝達要素８８のスタック８０を有する空気予熱器の有効性を改善する。
【００１８】
図１及び図２に示されるように、バスケット１０は、チャネル４０の各対向端部に配置された閉鎖グリッド５０及び５０’を含む。閉鎖グリッド５０は、３つの閉鎖ストリップ５２Ａ、５２Ｂおよび５２Ｃを有するように示されている。３つの閉鎖ストリップ５２Ａ、５２Ｂおよび５２Ｃの各々は、例えば溶接によって、その一端がコネクタ部品２４Ａの内側に面する表面に固定され、その他端がコネクタ部品２４Ａ’の内側に面する表面に固定される。閉鎖グリッド５０は、１つの横断部品５４を含み、横断部品５４は、閉鎖ストリップ５２Ａ、５２Ｂおよび５２Ｃを貫通して延在すると共に、例えば溶接によって、それらに固定されている。横断部品５４の一端はシート３０に固定され、横断部品５４の他端は例えば溶接によってシート３０’に固定される。閉鎖グリッド５０は、その中に複数の開口部５５を有する。開口部５５は、それを通ってチャネル４０内に流体の流れを運ぶように構成される。
【００１９】
３つの閉鎖ストリップ５２Ａ’、５２Ｂ’および５２Ｃ’の各々は、例えば溶接によって、その一端がコネクタ部品２４Ｂの内側に面する表面に固定され、その他端がコネクタ部品２４Ｂ’の内側に面する表面に固定される。閉鎖グリッド５０’は、１つの横断部品５４’を含み、横断部品５４’は、例えば溶接によって、閉鎖ストリップ５２Ａ’、５２Ｂ’および５２Ｃ’を貫通して延在し、それらに固定されている。例えば溶接によって、横断部品５４’の一端はシート３０に固定され、横断部品５４’の他端はシート３０’に固定される。閉鎖グリッド５０’は、その中に複数の開口部５５’を有する。開口部５５’は、それらを通ってチャネル４０内に流体の流れを運ぶように構成される。閉鎖グリッド５０および５０’は、２つの閉鎖グリッド５０および５０’の間のチャネル４０内に熱伝達要素８８のスタック８０を固定するように構成される。閉鎖グリッド５０および５０’はまた、シート３０および３０’の間に横方向の支持を提供し、シート３０および３０’の湾曲を防止する。閉鎖グリッド５０および５０’は、さらに、コネクタ部品２４Ａ、２４Ａ’および２４Ｂ、２４Ｂ’のそれぞれの対の間の横方向の支持を提供し、これらの湾曲を防止する。
【００２０】
閉鎖グリッド５０および５０’は、３つの閉鎖ストリップ５２Ａ’、５２Ｂ’および５２Ｃ’と、１つの横断部品５４’とを有するように示されているが、この点に関して限定されない。本発明は、バスケット１０のサイズに応じて、３つより多いまたは少ない閉鎖ストリップおよび／または１つより多い横断部品が用いられてもよい。
【００２１】
一実施形態では、コーナー部品２２Ａ、２２Ｂおよび２２Ａ’、２２Ｂ’ならびにコネクタ部品２４Ａ、２４Ｂおよび２４Ａ’、２４Ｂ’はそれぞれ、フレーム２０、２０’の全幅ＷまたはＷ’の５％未満の幅Ｗ１を有する。
【００２２】
図１および図５を参照すると、熱伝達要素８８は、例えば、複数のうねりおよびシート離間特徴を有する波形シートである。熱伝達要素８８は、個々の流路９０が隣接する熱伝達要素８８の間に形成されるように、バスケット１０内で互いの上に互い違いの構成で配置される。個々の流路９０は、チャネル４０と同じ方向に整列している。組み立ての間、熱伝達要素８８は、コーナー部品２２Ａおよび２２Ｂがシート３０および３０’ならびにコネクタ部品２４Ａおよび２４Ｂに固定される前であるがバスケット１０の残りの部分は組み立てられた状態で、開口部２９を有する側部からバスケット１０内に配置される。熱伝達要素８８は、互い違いの構成で互いに積み重ねられ、互いに押し付けられる。バスケット１０が所定数の熱伝達要素８８で満たされると、コーナー部品２２Ａおよび２２Ｂは、例えば溶接によってシート３０および３０’ならびにコネクタ部品２４Ａおよび２４Ｂに固定され、熱伝達要素８８をフレーム２０とフレーム２０’との間で互いに押し付けてバスケット１０内に固定する。
【００２３】
本開示は、様々な例示的な実施形態を参照して説明されてきたが、本発明の範囲から逸脱することなく、様々な変更がなされ得、均等物がその要素に置き換えられ得ることが、当業者によって理解される。加えて、その本質的な範囲から逸脱することなく、特定の状況又は材料を本発明の教示に対して適合させるために多くの修正を行うことができる。したがって、本発明は、本発明を実施するために考えられる最良の形態として開示された特定の実施形態に限定されるものではなく、本発明は、添付の特許請求の範囲内に入るすべての実施形態を含むことが意図される。
【図１】
2019522169.tif 000003
【図２】
2019522169.tif 000004
【図３】
2019522169.tif 000005
【図４】
2019522169.tif 000006
【図５】
2019522169.tif 000007
【図６】
2019522169.tif 000008
【手続補正書】
【提出日】平成30年5月23日(2018.5.23)
【手続補正１】
【補正対象書類名】明細書
【補正対象項目名】０００４
【補正方法】変更
【補正の内容】
【０００４】
さらに、いくつかの従来技術のバスケットは、空気およびガスの流れを横方向に保ちバスケット内に収容しておくことができない。代わりに、空気およびガスの流れの一部が、バスケット内の熱伝達要素を迂回し、熱伝達要素のバスケットとロータ構造との間の空隙を通って流れることを許容する。このような横方向の封じ込めの欠如および迂回流は、熱伝達および空気予熱器の有効性を低下させる。
米国特許第５９１３３５９号は、額縁型のバスケットであって、４つの側面全てが額縁の内側にライナを有するバスケットを提供する。
【手続補正２】
【補正対象書類名】特許請求の範囲
【補正対象項目名】全文
【補正方法】変更
【補正の内容】
【特許請求の範囲】
【請求項１】
回転式空気予熱器のための熱伝達要素（８８）を受け入れるためのバスケット（１０）であって、
各々が２つの長尺状のコーナー部品（２２Ａ、２２Ｂ、２２Ａ’、２２Ｂ’）と２つの長尺状のコネクタ部品（２４Ａ、２４Ｂ、２４Ａ’、２４Ｂ’）とを有する２つの金属製のフレーム（２０、２０’）であって、コーナー部品（２２Ａ、２２Ｂ、２２Ａ’、２２Ｂ’）の各々は、２つの脚部が角度をなす断面を有し、前記フレーム（２０、２０’）の各々において、前記コネクタ部品（２４Ａ、２４Ｂ、２４Ａ’、２４Ｂ’）の一方が前記コーナー部品（２２Ａ、２２Ｂ、２２Ａ’、２２Ｂ’）の各々の一端に固定されると共に前記コネクタ部品（２４Ａ、２４Ｂ、２４Ａ’、２４Ｂ’）の他方が前記コーナー部品（２２Ａ、２２Ｂ、２２Ａ’、２２Ｂ’）の各々の他端に固定され、前記コーナー部品（２２Ａ、２２Ｂ、２２Ａ’、２２Ｂ’）が互いに離間して平行であり、かつ前記コネクタ部品（２４Ａ、２４Ｂ、２４Ａ’、２４Ｂ’）が互いに離間して平行であることにより前記フレームの各々に矩形の開口部（２９、２９’）が形成されている、２つの金属製のフレーム（２０、２０’）と、
スートブローによる摩耗および亀裂に耐えるように構成された２つの重いゲージの金属製のシート（３０、３０’）であって、各シート（３０、３０’）が、前記コーナー部品（２２Ａ、２２Ｂ、２２Ａ’、２２Ｂ’）の一方の外面に長手方向に沿って固定された対向する縁部（３０Ａ、３０Ｂ、３０Ａ’、３０Ｂ’）を有し、それによって前記フレーム（２０、２０’）を構造的に支持すると共に互いに等しく離間させて平行にし、それによって２つのシート（３０、３０’）の間にチャネル（４０）を形成し、前記チャネル（４０）は、前記コーナー部品（２２Ａ、２２Ｂ、２２Ａ’、２２Ｂ’）に平行でありかつ前記コーナー部品（２２Ａ、２２Ｂ、２２Ａ’、２２Ｂ’）によって境界付けられる長手方向軸（Ｌ１）を有し、前記チャネル（４０）は、前記チャネル（４０）と同軸の流れ方向を有する前記熱伝達要素（８８）を受け入れるように構成される、２つの重いゲージの金属製のシートと、
を備え、前記シート（３０、３０’）は、前記バスケット（１０）内に配置された前記熱伝達要素（８８）の縁部において、隣接するバスケット（１０）の側部の間でのガスおよび空気流の側方への迂回を防止する障壁である、バスケット（１０）。
【請求項２】
重いゲージの前記シート（３０、３０’）が１２ゲージである、請求項１に記載のバスケット（１０）。
【請求項３】
前記チャネル（４０）の対向する各端部において、２つの前記コネクタ部品（２４Ａ、２４Ｂ、２４Ａ’、２４Ｂ’）と２つの前記シート（３０、３０’）とに固定される金属製の閉鎖グリッド（５０、５０’）をさらに備え、前記閉鎖グリッド（５０、５０’）は、複数の開口部（５５）を有し、前記開口部（５５）は、流体の流れを運ぶように構成される、請求項１に記載のバスケット（１０）。
【請求項４】
前記コネクタ部品（２４Ａ、２４Ｂ、２４Ａ’、２４Ｂ’）の各々は、実質的に平坦である、請求項１に記載のバスケット（１０）。
【請求項５】
前記コーナー部品（２２Ａ、２２Ｂ、２２Ａ’、２２Ｂ’）は、それぞれ２つの長尺部（２３、２５）を有し、各長尺部（２３、２５）は、互いにある角度（θ）で屈曲部（２７）から外向きに延在し、前記角度は、前記コーナー部品（２２Ａ、２２Ｂ、２２Ａ’、２２Ｂ’）のうちの２つについては鈍角であり、前記角度は、前記コーナー部品（２２Ａ、２２Ｂ、２２Ａ’、２２Ｂ’）のうちの２つについては鋭角である、請求項１に記載のバスケット（１０）。
【請求項６】
２つの前記コーナー部品（２２Ａ、２２Ｂ、２２Ａ’、２２Ｂ’）の各々に長手方向に沿った、前記シート（３０、３０’）の各々の前記対向する縁部の固定と、
前記コーナー部品（２２Ａ、２２Ｂ、２２Ａ’、２２Ｂ’）の各々の一端への前記コネクタ部品（２４Ａ、２４Ｂ、２４Ａ’、２４Ｂ’）の一方の固定、及び前記コーナー部品（２２Ａ、２２Ｂ、２２Ａ’、２２Ｂ’）の各々の他端への前記コネクタ部品（２４Ａ、２４Ｂ、２４Ａ’、２４Ｂ’）の他方の固定と、
前記コーナー部品（２２Ａ、２２Ｂ、２２Ａ’、２２Ｂ’）の１つに長手方向に沿った、前記シートの前記対向する縁部の固定と、
の少なくとも１つが溶接による、請求項１に記載のバスケット（１０）。
【請求項７】
前記シート（３０、３０’）の各々の前記対向する縁部は、２つの前記コーナー部品（２２Ａ、２２Ｂ、２２Ａ’、２２Ｂ’）の各々の前記長尺部（２３、２５）のそれぞれの外面に固定される、請求項５に記載のバスケット（１０）。
【請求項８】
前記フレームの各々の前記コネクタ部品（２４Ａ、２４Ｂ、２４Ａ’、２４Ｂ’）の外面が、それぞれの前記フレーム（２０、２０’）の前記コーナー部品（２２Ａ、２２Ｂ、２２Ａ’、２２Ｂ’）の前記長尺部（２３、２５）のうちの１つの外面と同一平面上にある、請求項５に記載のバスケット（１０）。
【請求項９】
一方の前記フレーム（２０、２０’）の２つの前記コネクタ部品（２４Ａ、２４Ｂ、２４Ａ’、２４Ｂ’）が、他方の前記フレーム（２０、２０’）の２つの前記コネクタ部品（２４Ａ、２４Ｂ、２４Ａ’、２４Ｂ’）よりも長い、請求項１に記載のバスケット（１０）。
【請求項１０】
前記閉鎖グリッド（５０、５０’）は、
対向する前記コネクタ部品（２４Ａ、２４Ｂ、２４Ａ’、２４Ｂ’）に固定された少なくとも１つの閉鎖ストリップ（５２Ａ、５２Ｂ、５２Ｃ）と、
前記少なくとも１つの閉鎖ストリップ（５２Ａ、５２Ｂ、５２Ｃ）を貫通して延在すると共に前記少なくとも１つの閉鎖ストリップ（５２Ａ、５２Ｂ、５２Ｃ）に固定された少なくとも１つの横断部品（５４）であって、対向する端部が対向する前記シート（３０、３０’）に固定された少なくとも１つの横断部品（５４）と、
を備える、請求項３に記載のバスケット（１０）。
【請求項１１】
前記コネクタ部品（２４Ａ、２４Ｂ、２４Ａ’、２４Ｂ’）および前記コーナー部品（２２Ａ、２２Ｂ、２２Ａ’、２２Ｂ’）は、それぞれ前記フレーム（５０、５０’）の全幅の５％未満の幅を有する、請求項１に記載のバスケット（１０）。
【請求項１２】
前記コネクタ部品（２４Ａ、２４Ｂ、２４Ａ’、２４Ｂ’）および前記コーナー部品（２２Ａ、２２Ｂ、２２Ａ’、２２Ｂ’）は、前記フレーム（５０、５０’）の周囲に配置される、請求項１に記載のバスケット（１０）。
【請求項１３】
互いに積み重ねられると共に、前記バスケット（１０）内に配置された複数の熱伝達要素（８８）をさらに備える、請求項１に記載のバスケット（１０）。
【手続補正３】
【補正対象書類名】図面
【補正対象項目名】全図
【補正方法】変更
【補正の内容】
【図１】
2019522169.tif 000009
【図２】
2019522169.tif 000010
【図３】
2019522169.tif 000011
【図４】
2019522169.tif 000012
【図５】
2019522169.tif 000013
【図６】
2019522169.tif 000014
【国際調査報告】
2019522169.tif 000015
2019522169.tif 000016
2019522169.tif 000017